(57)【特許請求の範囲】
【請求項１】
画像を表示する表示装置と、前記表示装置の画面に画像を入力するための入力体と、前記入力体で入力した画像に関連する関連情報を取得する取得装置と、入力された画像と前記取得装置から取得した前記画像の関連情報を関連付けて管理する制御装置とを備え、
前記入力体が、利用者が使用する入力ツールであって、前記入力ツールは、前記関連情報を有し、前記入力ツールは、前記関連情報を取得装置に送信する通信部を備え、前記入力ツールによって画像を入力したとき、前記取得装置は、前記通信部から前記関連情報を受信し、
前記制御装置は、入力された画像を前記表示装置に表示させると共に、前記画像が入力された領域を特定し、１の領域を特定した後、他の領域を特定したとき、前記１の領域への入力が終了してから前記他の領域への入力が開始するまでの時間を検出し、前記時間が所定時間に満たないとき、前記１の領域を入力した前記入力ツールの関連情報と前記他の領域を入力した前記入力ツールの関連情報とを比較して、同じ関連情報のときには、前記１の領域と他の領域を合成して１つのブロックとし、異なる関連情報のときには、合成せずに別々のブロックとし、前記時間が所定時間以上のときは、前記１の領域と前記他の領域を別々のブロックとして決定し、
前記画像に対する操作として前記表示装置に表示されたブロックに入力体で触れる操作があったときに、前記制御装置は、前記ブロックに含まれる画像に関連する関連情報を表示させることを特徴とする電子ボードシステム。
【請求項２】
前記入力ツールは、関連情報として複数のＩＤ情報を有し、
前記入力ツールは、複数のＩＤ情報から１つのＩＤ情報を選択する選択部を備え、
前記入力ツールによって画像を入力したとき、取得装置は、前記通信部から選択した前記ＩＤ情報を受信することを特徴とする請求項１に記載の電子ボードシステム。
【請求項３】
前記入力ツールは、関連情報として利用者情報を利用者から取得する検出部を備えたことを特徴とする請求項１に記載の電子ボードシステム。
【請求項４】
検出部として、入力ツールに撮像素子を備え、
前記検出部は、前記入力ツールに触れている利用者の指の画像を取得することを特徴とする請求項３に記載の電子ボードシステム。
【請求項５】
入力体が、前記入力ツールの代わりに利用者の人体の一部とされ、
取得装置は、前記入力体から利用者情報を取得することを特徴とする請求項１に記載の電子ボードシステム。
【発明の詳細な説明】
【技術分野】
【０００１】
本発明は、入力体によって画像を表示装置に入力する電子ボードシステムに関する。
【背景技術】
【０００２】
近年、絵や文章といった画像を電子データとして取り扱う場面が多くなってきている。例えば、作成した画像をプリントやファックスといった出力処理をする画像出力システムや、タッチペンや利用者の指といった入力体を利用して表示装置に画像を入力する電子ボードシステム等が挙げられる。
【０００３】
画像出力システムでは、例えば、ファックスを行なう場合、画像をデータに変換し、前記データのヘッダ部に、画像に係るＩＤ情報や利用者の利用者情報を付加して送信する。そのため、データを受信した側の装置では、受信したデータのヘッダ部に付加された情報を読み出すことで、前記データの送信元や送信者を判別することができる上、その情報を表示装置に表示することができる。例えば、特許文献１には、受信中のデータが誰宛のデータなのか表示装置に表示する通信端末装置が開示されている。
【０００４】
上記構成により、利用者は、誰から送信されたデータか、あるいは、誰に送信されたデータかを即座に確認することができる。
【特許文献１】特開平０３−１１７９５７号公報
【発明の開示】
【発明が解決しようとする課題】
【０００５】
一方、電子ボードシステムは、入力体によって入力された画像に対して、前記入力体や入力体を使用した利用者を関係付ける技術がない。そのため、複数の利用者が入力体を用いて画像を入力した場合、誰がどの画像を入力したのか確認することができない問題がある。
【０００６】
本発明は、上記に鑑み、誰が入力した画像であるかを直ぐに確認できる電子ボードシステムの提供を目的とする。
【課題を解決するための手段】
【０００７】
上記目的を達成するために、本発明では、画像を表示する表示装置と、前記表示装置の画面に画像を入力するための入力体と、前記入力体で入力した画像に関連する情報を取得する取得装置と、入力された画像と前記画像の関連情報を関連付けて管理する制御装置とを備え、前記制御装置は、入力された画像を前記表示装置に表示させると共に、前記画像に対する操作があったときに、前記画像に関連する関連情報を報知することを特徴とする。
【０００８】
入力体とは、画像を入力するために使用するものであって、例えば、利用者が使用するタッチペンといった入力ツールや、利用者の指といった人体等が考えられる。
【０００９】
表示装置は、接触あるいは非接触式の入力可能な画面を備える。制御装置は、前記画面を通じて入力体による画像の入力を受け付ける。しかし、入力された画像がどの入力体によって入力されたかは分からない。
【００１０】
そこで、取得装置は、入力された画像に関連する関連情報、例えば、画像を入力した入力ツールのＩＤ情報や利用者情報等を入力体から取得する。制御装置は、取得した画像の関連情報を、入力された画像と関連付けて管理する。そして、制御装置は、入力された画像を前記表示装置に表示させると共に、前記画像に対する操作があったときに、前記画像に関連する関連情報を表示画面に表示させる。あるいは、利用者に対して音声で知らせる。
【００１１】
上記構成により、例えば、複数の入力体によって画像が入力された場合であっても、画像毎に関連情報を報知することができる。また、入力された画像を、後で読み出した場合であっても、画像を誰が入力したかを確認することができる。すなわち、利用者は、常に、誰が画像を入力したかを確認することができる。
【００１２】
画像は、通常、連続して入力される。そこで、制御装置は、画像が入力された領域を特定し、特定した領域を１つのブロックとして決定する。
【００１３】
ところで、１つのブロックを決定する際、領域が、１の領域と他の領域を有するときは、制御装置は、前記１の領域と前記他の領域を合成して１つのブロックにするか、合成せずに別々のブロックにするかを判断する。
【００１４】
例えば、制御装置は、１の領域と他の領域が互いに重なり合うか否かを検出し、重なり合わないときは、その領域に含まれる画像は１の利用者から入力された１つの画像であると判断し、１つのブロックとして決定し、重なり合うときは、その領域に含まれる画像は別々の利用者から入力された画像である、あるいは、時間差をおいて入力された画像であると判断し、前記１の領域と前記他の領域を別々のブロックとして決定する。
【００１５】
あるいは、制御装置は、１の領域への入力が終了してから他の領域への入力が開始するまでの時間を検出し、前記時間が所定時間に満たないときは、その領域に含まれる画像は１の利用者から入力された１つの画像であると判断し、前記１の領域と前記他の領域を合成して１のブロックとして決定し、前記時間が所定時間以上のときは、その領域に含まれる画像は別々の利用者から入力された画像であると判断し、前記１の領域と前記他の領域を別々のブロックとして決定する。
【００１６】
上記構成によると、制御装置は、連続して入力された画像を１の利用者から入力されたものとして管理することができる。また、表示装置に表示されたブロックに入力体で触れたとき、制御装置は、前記ブロックに含まれる画像の関連情報を表示させることができる。
【００１７】
入力体が、利用者が使用する入力ツールであって、前記入力ツールは、ＩＤ情報を有し、前記入力ツールは、前記ＩＤ情報を取得装置に送信する通信部を備え、前記入力ツールによって画像を入力したとき、取得装置は、前記通信部から前記ＩＤ情報を受信することを特徴とする。
【００１８】
入力ツールには、各入力ツールを識別するためのＩＤ情報が保存される。そのため、利用者が入力ツールによって表示装置に画像を入力すると、取得装置は、前記入力ツールからＩＤ情報を取得する。これにより、制御装置は、どの入力ツールによって画像が入力されたかを判断することができる。
【００１９】
入力ツールは、複数のＩＤ情報を記憶しても良い。この場合、入力ツールは、複数のＩＤ情報から、現在使用している利用者に関するＩＤ情報を選択する選択部を備える。通信部は、選択部が選択したＩＤ情報を取得装置に送信する。これにより、制御装置は、誰が画像を入力したかを判断することができる。
【００２０】
入力ツールに利用者の利用者情報を取得する検出部を備えてもよい。この場合、取得装置は、入力ツールから利用者情報を取得する。これにより、制御装置は、誰が画像を入力したかを判断することができる。
【００２１】
なお、入力体が、利用者が使用する入力ツールに限られることはなく、指や視線といった利用者の一部であってもよい。例えば、利用者の一部が指の場合、取得装置は、指の指紋を取得する。これにより、制御装置は、取得した指紋から利用者を判別する。
【発明の効果】
【００２２】
本発明によると、制御装置が、入力された画像と、その画像の関連情報を関連付けて管理し、表示された画像に対して操作がされると、その画像の関連情報を表示するので、利用者は、表示された画像を誰が入力したかを即座に確認することができる。
【発明を実施するための最良の形態】
【００２３】
以下、本発明の電子ボードシステムを詳細に説明する。
【００２４】
図１は、本実施形態における電子ボードシステムの構成の一例を示す図である。本電子ボードシステムは、画像を表示する表示装置１０５と、前記表示装置１０５の画面に付設されたタッチパネル１０４と、タッチパネル１０４に画像を入力する入力体の一例である入力ツール１０２，１０３と、それら装置を制御する情報処理装置１０１とから構成される。
【００２５】
入力ツール１０２，１０３は、タッチパネル１０４から画像を入力するための入力体である。入力ツール１０２，１０３は、個々を識別できるように、それぞれにＩＤ情報が記憶される。そのため、入力ツール１０２，１０３には、ＩＤ情報を情報処理装置１０１に送信するための通信部を備える。具体的には、入力ツール１０２，１０３によってタッチパネル１０４に触れると、通信部は、情報処理装置１０１にＩＤ情報を送信する。
【００２６】
表示装置１０５は、例えば、ＣＲＴディスプレイ、または、液晶ディスプレイであり、画像を表示する。
【００２７】
タッチパネル１０４は、指や専用のペン等の入力体でパネル表面に触れることで、画像の入力を受け付ける入力装置である。タッチパネル１０４は、専用の透明なスクリーンから形成されており、液晶ディスプレイである表示装置１０５の上面を覆うように取り付けられる。
【００２８】
情報処理装置１０１は、タッチパネル１０４から入力される画像を、表示装置１０５に表示させると共に、入力された画像を管理する制御装置である。情報処理装置１０１は、表示装置１０５に一体的に設けられる。あるいは、ＰＣのように、表示装置１０５に接続されたものとする。情報処理装置１０１は、入力ツール１０２，１０３によってタッチパネル１０４から画像が入力されたか否かを検出する書込み検出部１１０と、書き込まれた画像を記憶する書込み記録部１０８と、先の画像の入力が終了してから次の画像の入力が開始するまでの時間を測定するタイマ部１０７と、前記書込み記録部１０８に記憶された画像を表示する表示部１１１と、利用者が使用する入力ツール１０２，１０３の各ＩＤ情報を登録するペン登録部１０６と、これら装置を制御するデータ管理部１０９とを備える。
【００２９】
表示部１１１は、表示装置１０５に表示する画像を制御する情報処理装置１０１に別途設けられた小サイズの表示装置である。表示部１１１は、例えば、ＣＲＴディスプレイ、または、液晶ディスプレイである。
【００３０】
ペン登録部１０６は、利用者が使用する入力ツール１０２，１０３に対応したＩＤ情報を管理する。具体的には、ペン登録部１０６は、各入力ツール１０２，１０３のＩＤ情報に対応した機能制御情報や利用者情報等の関連情報が格納されている。この関連情報は、あらかじめ、利用者や管理者によって登録される。
【００３１】
書込み検出部１１０は、タッチパネル１０４から入力ツール１０２，１０３が触れた座標を取得し、その座標から画像を判断する。書込み検出部１１０は、入力ツール１０２，１０３が触れた座標に基づいて、画像が入力された領域を特定する。領域を特定すると、書込み検出部１１０は、その領域を書込み記録部１０８に送信する。
【００３２】
書込み検出部１１０は、入力ツール１０２，１０３のＩＤ情報を取得する取得装置としても機能する。具体的には、入力ツール１０２，１０３がタッチパネル１０４に触れると、書込み検出部１１０は、入力ツール１０２，１０３の通信部と通信して、ＩＤ情報を取得する。書込み検出部１１０は、受信したＩＤ情報と特定した領域を関連付けて書込み記録部１０８に送信する。
【００３３】
書込み記録部１０８は、入力された情報をＨＤＤ（Ｈａｒｄ  Ｄｉｓｋ  Ｄｒｉｖｅ）とされる。また、書込み記録部１０８は、書込み検出部１１０から受信した領域を１つのブロック２０３，２０４として記憶する。具体的には、データ管理部１０９は、ＩＤ情報から同じ入力ツール１０２，１０３によって入力された画像を含む領域か否かを判断する。同じ入力ツール１０２，１０３によって入力された画像を含む領域と判断すると、書込み記録部１０８は、判断した領域を１つのブロック２０３，２０４として記憶する。
【００３４】
ところで、書込み検出部１１０によって特定された領域を受信してから、すぐに、次に特定された領域を受信する場合がある。この場合、データ管理部１０９は、先に受信した領域と、後に受信した領域とを併合するか否かを判断する機能を備える。具体的には、データ管理部１０９は、先の受信から次の受信までの時間を、タイマ部１０７から取得する。取得した時間があらかじめ設定された時間を超えていない場合は、先に受信した領域と後に受診した領域とを合成して、１つのブロック２０３，２０４として書込み記録部１０８に記憶させる。所定された時間を超えていた場合は、先に受信した領域と後に受信した領域とを合成せずに別のブロック２０３，２０４として書込み記録部１０８に記憶させる。
【００３５】
なお、先に特定した領域と後に特定した領域とを合成するか否かの判断を、互いの領域の重なり具合によって判断してもよい。具体的には、データ管理部１０９は、先に特定した領域と後に特定した領域とが互い重ならないかを確認する。互いの領域が重ならない場合は、先に記憶した画像と後に記憶した画像とを合成して、１つのブロック２０３，２０４として書込み記録部１０８に記憶させる。互いの領域が重なる場合は、先に受信した領域と後に受信した領域とを合成せずに別のブロック２０３，２０４として書込み記録部１０８に記憶させる。
【００３６】
データ管理部１０９は、ＣＰＵ、ＲＯＭ、ＲＡＭを有するマイクロコンピュータからなる。ＲＯＭは、各装置を制御するための各種制御プログラムや各種データ等を格納する。ＲＡＭは、ＣＰＵが各種制御プログラムを実行する際のメモリやワークエリアとして機能する。ＲＡＭは、データを一時的に記憶するメモリとしても機能する。ＣＰＵは、ＲＯＭに格納されている制御プログラムをＲＡＭに読み出して、制御プログラムを実行させ、各部および各装置を動作させる。
【００３７】
データ管理部１０９は、記憶されたブロック２０３，２０４を、利用者からの指示に基づいて、書込み記録部１０８に記憶されたブロック２０３，２０４を表示装置１０５および表示部１１１に表示させる。また、データ管理部１０９は、ブロック２０３，２０４と関連付けて記憶させた画像の関連情報を表示装置１０５および表示部１１１に表示させる。詳しくは、データ管理部１０９は、タッチパネル１０４から画像が入力されると、入力された画像を表示装置１０５および表示部１１１に表示させる。タッチパネル１０４が、表示したブロック２０３，２０４の座標に入力ツール１０２，１０３が触れたことを検出すると、その座標に表示したブロックに含まれる画像の関連情報、本実施形態では、入力ツール１０２，１０３のＩＤ情報を書込み記録部１０８から抽出する。抽出したＩＤ情報に基づいて、ペン登録部１０６から機能制御情報や利用者情報等の関連情報を抽出する。そして、データ管理部１０９は、抽出した関連情報を表示装置１０５および表示部１１１に表示させる。
【００３８】
次に、図２〜図４を用いて、電子ボードシステムの動作について説明する。なお、説明の便宜上、入力ツール１０２，１０３は２つとされ、画像の関連情報は入力ツールを使用する利用者情報とする。また、先に入力した画像と後に入力した画像を合成するための判断は、先の画像の入力終了から次の画像の入力開始までの時間に基づいて判断する。また、図２中に示す２０３は、入力ツール１０２によって入力された画像のブロック２０３を示し、２０４は、入力ツール１０３によって入力された画像のブロック２０４を示す。
先ず、入力された画像を保存する動作を説明する。
【００３９】
利用者は、入力ツール１０２，１０３を使用する利用者情報を登録する。利用者は、電子ボードシステムを起動させる。そして、利用者は、各入力ツール１０２，１０３を使用する利用者情報をペン登録部１０６に登録する。すなわち、入力ツール１０２の利用者は「田中」、入力ツール１０３の利用者は「佐藤」と登録する。
【００４０】
利用者の登録が終了すると、書込み検出部１１０が利用者からの入力があるかを確認する（Ｓ３０１）。入力が検出できない場合は、入力があるまで待機状態となる。
【００４１】
利用者から画像の入力を検出すると、書込み検出部１１０は、画像の入力が終了したかを確認する（Ｓ３０２）。画像の入力が終了していない場合は、入力が終了するまで確認する。画像の入力が終了すると、書込み検出部１１０は、検出した座標から画像が入力された領域を特定し、特定した領域と、画像を入力した入力ツール１０２のＩＤ情報を書込み記録部１０８に送信する。
【００４２】
書込み記録部１０８は、書込み検出部１１０で特定した領域とＩＤ情報を受信すると、次の領域が受信までの時間を測定する（Ｓ３０３）。書込み記録部１０８は、あらかじめ設定された所定時間を超えたか否かを確認する（Ｓ３０４）。
【００４３】
所定時間を経過したとき、書込み記録部１０８は、受信した領域を１つのブロックとして記憶する。そして、記憶したブロック２０３と関連付けて記憶する（Ｓ３０６）。そして、次の画像の入力があるかを確認する。
【００４４】
所定時間を経過していないとき、書込み検出部１１０は、次の画像の入力があるかを確認する（Ｓ３０５）。次の画像の入力を検出しない場合は、所定時間が経過したかを確認する（Ｓ３０４）。次の画像の入力を検出したとき、書込み記録部１０８は、次の画像の入力が終了したかを確認する（Ｓ３０２）。そして、画像の入力が終了したことを検出すると、更に、書込み記録部１０８は、次に画像が入力するまでに時間を測定し（Ｓ３０３）、あらかじめ設定された所定時間を超えたか否かを確認する（Ｓ３０４）。
【００４５】
所定時間を経過したとき、書込み記録部１０８は、次の画像を入力した入力ツール１０２，１０３のＩＤ情報と、先の画像を入力した入力ツール１０２，１０３のＩＤ情報を比較する。同じ入力ツール１０２，１０３と判断したときは、書込み記録部１０８は、先に受信した領域と後に受信した領域を１つのブロック２０３として記憶する。異なる入力ツール１０２，１０３と判断したときは、書込み記録部１０８は、先に受信した領域と後に受信した領域を別のブロック２０３，２０４として記憶する。このとき、書込み記録部１０８は、受信したＩＤ情報をブロック２０３，２０４と関連付けて記憶する（Ｓ３０６）。そして、次の画像の入力があるかを確認する。
【００４６】
次に、画像を入力した利用者を表示する動作を説明する。
【００４７】
先ず、データ管理部１０９は、書込み記録部１０８に記憶された画像に係るブロック２０３，２０４を読み出し、表示装置１０５に表示させる。タッチパネル１０４は、ブロック２０３，２０４が表示された座標に、入力ツール１０２，１０３が触れたか否かを検出する（Ｓ４０１）。入力ツール１０２，１０３が触れたことを検出できないときは、入力があるまで待機状態となる。
【００４８】
入力ツール１０２，１０３がタッチパネル１０４に触れたことを検出すると、書込み検出部１１０は、入力ツールが触れた座標を検出する。書込み検出部１１０は、検出した座標からその座標に表示されているブロック２０３を特定する（Ｓ４０２）。ブロック２０３を特定すると、データ管理部１０９は、特定したブロック２０３に含まれる画像に関連付けたＩＤ情報を書込み記録部１０８からから抽出する（Ｓ４０３）。
【００４９】
データ管理部１０９は、抽出したＩＤ情報に基づいて、ペン登録部１０６から利用者名が登録されているかを確認する（Ｓ４０４）。利用者名が登録されているときは、データ管理部１０９は、登録されている利用者名を抽出し、表示装置１０５に表示させる（Ｓ４０５）。利用者名が登録されていないときは、データ管理部１０９は、関連付けて記憶させたＩＤ情報を表示装置１０５に表示させる（Ｓ４０６）。
【００５０】
これにより、電子ボードシステムは、複数の入力ツール１０２，１０３によって画像が入力された場合であっても、誰が入力した画像であるかを確認することができる。また、入力ツール自体にＩＤ情報が記憶されているので、利用者名を登録していない場合であっても、どの入力ツール１０２，１０３によって入植されたかを判断ができる。
【００５１】
なお、本発明は、上記実施形態に限定されるものではなく、本発明の範囲内で上記実施形態に多くの修正および変更を加え得ることは勿論である。本実施形態では、各装置がそれぞれ別々に存在し、各装置がネットワークで接続されたシステムで説明したが、各装置が、１つの装置に備えられても良い。
【００５２】
本実施形態では、画像を入力する入力体を入力ツールで説明したが、特にこの限りではない。例えば、利用者の一部である指や視線で直接タッチパネルに入力しても良い。この場合、指紋や網膜から利用者情報が特定できるように、ペン登録部には、指紋や網膜と関連付けて利用者情報を登録しておく。
【００５３】
各入力ツールにＩＤ情報を有する以外に、入力ツールに利用者の指紋を取得するための検出部を設けても良い。この場合、入力体を利用者の一部とした場合と同様に、ペン登録部には、指紋と関連付けて利用者情報を登録しておく。これにより、入力ツールから取得した指紋から利用者情報を抽出することができる。
【００５４】
入力ツールでタッチパネルに触れることで、ＩＤ情報を取得しているが、ＩＣカードといった接触、非接触のカードに、あらかじめＩＤ情報を登録しておき、入力する際にＩＣカードからＩＤ情報を取得しても良い。あるいは、入力ツールであるタッチペンに無線通信機能を備え、タッチパネルに触れることなく、通信によってＩＤ情報を取得しても良い。
【００５５】
本実施形態では、利用者毎にタッチペンを用意しているが、１本のタッチペンに複数のＩＤ情報を登録しておいても良い。この場合、どの利用者のＩＤ情報を選択する選択部を備える。具体的には、タッチペンは、回転する回転体を備える。利用者は、その回転体を回転させると、タッチペンから送信できるＩＤ情報を選択できる。これにより、１本のタッチペンで複数の利用者が利用することができる。
【図面の簡単な説明】
【００５６】
【図１】本発明に係る電子ボードシステムを示すブロック図
【図２】実施形態の一例を示す図
【図３】画像を記憶する動作を示すフローチャート
【図４】記憶した画像に対して、入力した利用者を表示する動作を示すフローチャート
【符号の説明】
【００５７】
１０１  情報処理装置
１０２  入力ツール
１０３  入力ツール
１０４  タッチパネル
１０５  表示装置
１０６  ペン登録部
１０７  タイマ部
１０８  書込み記憶部
１０９  データ管理部
１１０  書込み検出部
１１１  表示部
２０３  ブロック
２０４  ブロック  
【図１】
0005175503.tif 000002
【図２】
0005175503.tif 000003
【図３】
0005175503.tif 000004
【図４】
0005175503.tif 000005